(57)【要約】【課題】簡易な構成により小型のキャディバッグ（サブバッグ）を収容可能なキャディバッグを提供すること。【解決手段】キャディバッグ１００は、一端が底部により閉塞され、他端が開放されたバッグ本体２０と、前記他端に設けられ、前記他端の開放された領域を複数の開口部に分割して仕切る仕切り部材を備える口枠１０と、を備え、前記複数の開口部は、キャディバッグ１００より小型のサブバッグ２００をバッグ本体２０内に挿入するための開口部１０ａと、サブバッグ２００に設けられた第１持ち手２２０の先端をバッグ本体２０内に挿入するための開口部１０ｂと、を含み、前記仕切り部材は、開口部１０ａと開口部１０ｂとの間に配置され、開口部１０ａを仕切る第１仕切り部材１２を含み、第１仕切り部材１２は、第１持ち手２２０を支持する切り欠き部１２ａを備える。【選択図】図１
2019136350.tif 000002
【特許請求の範囲】
【請求項１】
ゴルフクラブを収容するキャディバッグであって、
一端が底部により閉塞され、他端が開放されたバッグ本体と、
前記他端に設けられ、前記他端の開放された領域を複数の開口部に分割して仕切る仕切り部材を備える口枠と、
を備え、
前記複数の開口部は、前記キャディバッグより小型の小型キャディバッグを前記バッグ本体内に挿入するための第１開口部と、前記小型キャディバッグに設けられた第１持ち手の先端を前記バッグ本体内に挿入するための第２開口部と、を含み、
前記仕切り部材は、前記第１開口部と前記第２開口部との間に配置され、前記第１開口部を仕切る第１仕切り部材を含み、
前記第１仕切り部材は、前記第１持ち手を支持する切り欠き部を備える、
キャディバッグ。
【請求項２】
前記仕切り部材は、前記第２開口部を仕切る第２仕切り部材を含み、
前記切り欠き部の下端は、前記第２仕切り部材の上端より高い位置にある、
請求項１に記載のキャディバッグ。
【請求項３】
前記小型キャディバッグが前記バッグ本体内に収容された場合に、前記バッグ本体内の底面と、前記小型キャディバッグの下端との間に間隙が形成される、
請求項１又は２に記載のキャディバッグ。
【請求項４】
前記底部から、前記第１仕切り部材の上端までの長さは、前記底部から、他の何れの前記仕切り部材の上端までの長さよりも長い、
請求項１〜３の何れかに記載のキャディバッグ。
【請求項５】
前記複数の開口部は、さらに、前記ゴルフクラブを前記バッグ本体内に挿入するための第３開口部を含み、
前記第１開口部は、前記口枠の一端に形成され、前記第３開口部は、前記口枠の他端に形成され、前記第２開口部は、前記第１開口部と前記第３開口部との間に形成される、
請求項１〜４の何れかに記載のキャディバッグ。
【請求項６】
前記複数の開口部は、さらに、前記第１開口部と前記第２開口部と前記第３開口部とが並ぶ方向に直交する方向において、前記第２開口部の両隣に、前記ゴルフクラブを前記バッグ本体内に挿入するための第４開口部及び第５開口部を含む、
請求項５に記載のキャディバッグ。
【請求項７】
前記キャディバッグは、さらに、第２持ち手を備え、
前記キャディバッグを上方から見たときに、前記第１開口部は、前記第２持ち手が配置される端部とは反対側の端部に配置される、
請求項１〜６の何れかに記載のキャディバッグ。
【請求項８】
前記小型キャディバッグが前記バッグ本体内に収容された場合に、前記第１仕切り部材の上端の床面からの高さが、前記小型キャディバッグの上端の床面からの高さよりも高い、
請求項１〜７の何れかに記載のキャディバッグ。
【発明の詳細な説明】
【技術分野】
【０００１】
本発明は、キャディバッグに関し、特にキャディバッグより小型の小型キャディバッグを収容可能なキャディバッグに関する。
【背景技術】
【０００２】
近年、ゴルフクラブを収容するメインのキャディバッグとは別に、数本のゴルフクラブを収容する小型のキャディバッグ（サブバッグともいう。）を使用するプレイヤーが増えている。例えば、プレイヤーは、キャディバッグをゴルフカートに載せ、当該キャディバッグから抜き取った数本のゴルフクラブをサブバッグに収容し、当該サブバッグを持ってコースを回る。プレイヤーは、サブバッグを使用することにより、複数本のゴルフクラブを容易に持ち歩くことができ、またプレイ地点にゴルフクラブを置き忘れることを防ぐこともできる。
【０００３】
特許文献１には、キャディバッグ及びサブバッグを使用する際の可搬性及びスペース効率を考慮したキャディバッグが開示されている。特許文献１のキャディバッグは、当該キャディバッグの内部にサブバッグを収容可能な構成を有している。
【先行技術文献】
【特許文献】
【０００４】
【特許文献１】特開２０１６−９６９３９号公報
【発明の概要】
【発明が解決しようとする課題】
【０００５】
しかしながら、前記従来の技術では、サブバッグがキャディバッグに収容された状態において、サブバッグの持ち手（ハンドル）が、キャディバッグの持ち手（ハンドル）に嵌合する構成である。このため、サブバッグ及びキャディバッグそれぞれの持ち手の構造が複雑化する。また、持ち手の構造の複雑化に伴い、キャディバッグの外形が大きくなる。
【０００６】
本発明の目的は、簡易な構成により小型のキャディバッグ（サブバッグ）を収容可能なキャディバッグを提供することにある。
【課題を解決するための手段】
【０００７】
本発明の一の態様に係るキャディバッグは、ゴルフクラブを収容するキャディバッグであって、一端が底部により閉塞され、他端が開放されたバッグ本体と、前記他端に設けられ、前記他端の開放された領域を複数の開口部に分割して仕切る仕切り部材を備える口枠と、を備え、前記複数の開口部は、前記キャディバッグより小型の小型キャディバッグを前記バッグ本体内に挿入するための第１開口部と、前記小型キャディバッグに設けられた第１持ち手の先端を前記バッグ本体内に挿入するための第２開口部と、を含み、前記仕切り部材は、前記第１開口部と前記第２開口部との間に配置され、前記第１開口部を仕切る第１仕切り部材を含み、前記第１仕切り部材は、前記第１持ち手を支持する切り欠き部を備える。
【発明の効果】
【０００８】
本発明によれば、簡易な構成により小型のキャディバッグ（サブバッグ）を収容可能なキャディバッグを提供することができる。
【図面の簡単な説明】
【０００９】
【図１】図１は、本実施形態に係るゴルフクラブ収容システムの概略構成を示す斜視図である。
【図２】図２は、本実施形態に係るゴルフクラブ収容システムの概略構成を示す斜視図である。
【図３Ａ】図３Ａは、本実施形態に係るサブバッグの概略構成を示す図である。
【図３Ｂ】図３Ｂは、本実施形態に係るサブバッグが自立した様子を示す図である。
【図４Ａ】図４Ａは、本実施形態に係る口枠の具体的な構成の一例を示す平面図である。
【図４Ｂ】図４Ｂは、図４ＡのＡ矢視図である。
【図４Ｃ】図４Ｃは、図４ＡのＢ矢視図である。
【図５】図５は、本実施形態に係る口枠と当該口枠に挿入されたサブバッグとを拡大した斜視図である。
【図６Ａ】図６Ａは、本実施形態に係るサブバッグをキャディバッグに挿入する際の動作の一例を示す側面図である。
【図６Ｂ】図６Ｂは、本実施形態に係るサブバッグをキャディバッグに挿入する際の動作の一例を示す正面図である。
【図７Ａ】図７Ａは、本実施形態に係るサブバッグをキャディバッグに挿入する際の動作の一例を示す側面図である。
【図７Ｂ】図７Ｂは、本実施形態に係るサブバッグをキャディバッグに挿入する際の動作の一例を示す正面図である。
【図８Ａ】図８Ａは、本実施形態に係るサブバッグをキャディバッグに挿入する際の動作の一例を示す側面図である。
【図８Ｂ】図８Ｂは、本実施形態に係るサブバッグをキャディバッグに挿入する際の動作の一例を示す正面図である。
【図９】図９は、本実施形態に係るキャディバッグに収容されたサブバッグの様子を示す側面図である。
【図１０】図１０は、本実施形態に係るキャディバッグがゴルフカートに搭載された状態を示す図である。
【図１１Ａ】図１１Ａは、参考形態に係るキャディバッグの概略構成を示す側面図である。
【図１１Ｂ】図１１Ｂは、参考形態に係るキャディバッグの概略構成を示す正面図である。
【図１２Ａ】図１２Ａは、参考形態に係る口枠の具体的な構成の一例を示す平面図である。
【図１２Ｂ】図１２Ｂは、図１２ＡのＡ矢視図である。
【図１２Ｃ】図１２Ｃは、図１２ＡのＢ矢視図である。
【図１３】図１３は、参考形態に係るキャディバッグの一部を拡大した正面図である。
【図１４Ａ】図１４Ａは、参考形態に係るサブバッグをキャディバッグに挿入する際の動作の一例を示す側面図である。
【図１４Ｂ】図１４Ｂは、参考形態に係るサブバッグをキャディバッグに挿入する際の動作の一例を示す正面図である。
【図１５Ａ】図１５Ａは、参考形態に係るサブバッグをキャディバッグに挿入する際の動作の一例を示す側面図である。
【図１５Ｂ】図１５Ｂは、参考形態に係るサブバッグをキャディバッグに挿入する際の動作の一例を示す正面図である。
【発明を実施するための形態】
【００１０】
以下、添付図面を参照しながら、本発明の実施形態について説明する。なお、以下の実施形態は、本発明を具体化した一例であって、本発明の技術的範囲を限定する性格を有さない。
【００１１】
図１は、本実施形態に係るゴルフクラブ収容システム１の概略構成を示す斜視図である。尚、図１において、キャディバッグ１００の第２持ち手２１が突出する方向（正面方向）をＸ方向とし、キャディバッグ１００の側面方向をＹ方向とし、鉛直方向をＺ方向とする。他の図においても同様である。
【００１２】
ゴルフクラブ収容システム１は、メインのキャディバッグ１００と、キャディバッグ１００より小型のサブのキャディバッグ２００（以下、サブバッグという。）と、を含んでいる。キャディバッグ１００は、サブバッグ２００を収容可能な構成を有している。図２に示すように、サブバッグ２００は、キャディバッグ１００の一部の開口部を介して、キャディバッグ１００に挿入されたり、キャディバッグ１００から抜き取られたりする。キャディバッグ１００は、例えば１４本のゴルフクラブを収容可能な収容スペースを有し、サブバッグ２００は、キャディバッグ１００より少ない本数（例えば４〜５本）のゴルフクラブを収容可能な収容スペースを有する。
【００１３】
ここで、サブバッグ２００の構成の一例について説明する。図３Ａ及び図３Ｂは、サブバッグ２００の概略構成を示す図である。尚、図３Ｂは、サブバッグ２００を自立させた状態を示している。
【００１４】
サブバッグ２００は、サブバッグ本体２１０と、第１持ち手２２０と、脚部２３０と、ロック装置２４０と、支持部２５０と、を備えている。
【００１５】
サブバッグ本体２１０は、下端の底部２１０ａが閉塞され、上端が開放（開口）された筒型形状を有している。サブバッグ本体２１０の内部には、数本のゴルフクラブを収容可能な空間が形成されている。尚、図２に示すように、サブバッグ２００は、上端に仕切り部材２６０を有してもよい。仕切り部材２６０により、サブバッグ本体２１０の上端には、複数の開口部２００ａ，２００ｂが形成される。
【００１６】
第１持ち手２２０は、例えばプレイヤーがサブバッグ２００をキャディバッグ１００内に挿入したり、キャディバッグ１００内から抜き取ったりする際、及び、プレイヤーがプレイ中にサブバッグ２００を持ち運ぶ際、に手で握る部分（ハンドル）である。第１持ち手２２０は、根本付近に湾曲部を有し、一端がサブバッグ２００の上端にネジ等により固定されている。図３Ａに示すように、サブバッグ２００が直立状態のときに、第１持ち手２２０の他端は、下方（地面方向）を向いている。
【００１７】
脚部２３０は、２本設けられており、サブバッグ２００を自立させるためのスタンドとして機能する。各脚部２３０の上端は、サブバッグ２００の上端に設けられた支持部２５０に回転可能に支持されている。プレイヤーは、サブバッグ２００を持ち運んだり収容したりする場合は、各脚部２３０の下端を、サブバッグ２００の下端に設けられたロック装置２４０にロックさせる（図３Ａ参照）。一方、プレイヤーは、サブバッグ２００を自立させる場合は、ロック装置２４０のロック状態を解除する。これにより、各脚部２３０が、支持部２５０を支点にして回転移動可能となる（図３Ｂ参照）。
【００１８】
例えば、プレイヤーは、ゴルフのプレイ中に、サブバッグ２００を持ってプレイ地点に移動し、当該プレイ地点付近において、サブバッグ２００のロック装置２４０を地面に押し付ける。すると、図３Ｂに示すように、ロック装置２４０が押し上げられることによりロック状態が解除され、各脚部２３０が、支持部２５０を支点にして回転移動可能となる。これにより、サブバッグ２００は、サブバッグ本体２１０の底部２１０ａと、２本の脚部２３０とにより自立可能となる。また、プレイヤーがゴルフのプレイ中にサブバッグ２００を持ち運ぶ際は、プレイヤーは、サブバッグ２００を持ち上げて各脚部２３０をサブバッグ本体２１０に引き寄せる。これにより、図３Ａに示すように、各脚部２３０がロック装置２４０にロックされる。
【００１９】
図１に戻り、キャディバッグ１００は、バッグ本体２０と、バッグ本体２０の上端に設けられる口枠１０とを備えている。
【００２０】
バッグ本体２０は、下端の底部が閉塞され、上端が開放された筒型形状を有している。バッグ本体２０の内部には、ゴルフクラブ及びサブバッグ２００を収容可能な空間が形成されている。またバッグ本体２０は、プレイヤー及びゴルフ場のスタッフ等がキャディバッグ１００を持ち運ぶ際に手で握る第２持ち手２１（ハンドル）を備えている。
【００２１】
口枠１０は、バッグ本体２０の上端の開放された領域を複数の開口部に分割して仕切る仕切り部材を備える。前記開放された領域は、仕切り部材により複数の開口部に分割される。図１に示す例では、口枠１０は、第１仕切り部材１２、第２仕切り部材１４、及び第３仕切り部材１３を備え、口枠１０には、第１仕切り部材１２、第２仕切り部材１４、及び第３仕切り部材１３により分割された５個の開口部１０ａ〜１０ｅが形成される。前記仕切り部材及び前記開口部の数は限定されない。
【００２２】
開口部１０ａ（第１開口部）は、プレイヤーがサブバッグ２００をバッグ本体２０内に挿入したりバッグ本体２０から抜き取ったりするための領域である。開口部１０ｂ（第２開口部）は、サブバッグ２００がバッグ本体２０内に挿入されたときに、サブバッグ２００の第１持ち手２２０が挿入される領域である。すなわち、キャディバッグ１００は、サブバッグ２００のサブバッグ本体２１０と、サブバッグ２００の第１持ち手２２０とを、互いに異なる開口部（開口部１０ａ及び開口部１０ｂ）を介してバッグ本体２０内に挿入されることにより、サブバッグ２００を収容する。
【００２３】
開口部１０ｃ〜１０ｅは、ゴルフクラブをバッグ本体２０内に挿入するための領域である。プレイヤーは、例えば１４本のゴルフクラブのうち、１０本のゴルフクラブを、開口部１０ｃ〜１０ｅを使用してキャディバッグ１００に収容し、４本のゴルフクラブを、キャディバッグ１００内のサブバッグ２００に収容する。尚、プレイヤーは、プレイ中、キャディバッグ１００内のゴルフクラブと、サブバッグ２００内のゴルフクラブとを適宜入れ替える。
【００２４】
次に、キャディバッグ１００の口枠１０の具体的な構成について説明する。図４Ａは口枠１０の具体的な構成の一例を示す平面図である。図４Ｂは、図４ＡのＡ矢視図であり、図４Ｃは、図４ＡのＢ矢視図である。
【００２５】
口枠１０は、外枠１１と、外枠１１の内側に設けられる第１仕切り部材１２、第２仕切り部材１４、及び第３仕切り部材１３を備えている。外枠１１は、キャディバッグ１００のバッグ本体２０における上端の開放領域を規定する。第１仕切り部材１２、第２仕切り部材１４、及び第３仕切り部材１３は、外枠１１の内側に形成される領域（開放領域）を複数の領域（開口部）に分割する。
【００２６】
図４Ａに示すように、第１仕切り部材１２は、外枠１１におけるＸ方向の下側においてＹ方向の左右端の間に配置され、全体としてＸ方向の上側に湾曲した形状を有する。また、図４Ｂに示すように、第１仕切り部材１２は、Ｙ方向の中央付近において、Ｚ方向の下方に刳り抜かれた切り欠き部１２ａを有する。切り欠き部１２ａは、下面１２ｂからの高さが「Ｈ１」であり、幅が「Ｗ１」である。また図４Ｃに示すように、第１仕切り部材１２は、外枠１１の上面（第２持ち手２１側の上面）から第１仕切り部材１２の上端までの高さが「Ｈ２」である。外枠１１と第１仕切り部材１２とにより、開口部１０ａが形成される。サブバッグ２００のサブバッグ本体２１０は、開口部１０ａを介してバッグ本体２０内に挿入される。また、サブバッグ２００の第１持ち手２２０の一部（根元部分）は、第１仕切り部材１２の切り欠き部１２ａの内側に挿入されて受容される。切り欠き部１２ａは、第１持ち手２２０を支持する機能を有する。このため、切り欠き部１２ａの幅「Ｗ１」は、少なくとも第１持ち手２２０の幅よりも大きくなっている。尚、切り欠き部１２ａの高さ「Ｈ１」は、第１持ち手２２０の高さより低くてもよい。すなわち、切り欠き部１２ａは、第１持ち手２２０が横ずれしない程度の高さを有していればよい。また切り欠き部１２ａの形状は、図４Ｂに示すように矩形状でなくてもよく、例えば、湾曲状、Ｕ字状、Ｖ字状であってもよい。
【００２７】
また図４Ａに示すように、第３仕切り部材１３は、外枠１１におけるＸ方向の上側においてＹ方向の左右端の間に配置される。また、２個の第２仕切り部材１４は、外枠１１の内側に形成される領域の中央付近において、互いに所定の間隔を空けて、第１仕切り部材１２及び第３仕切り部材１３の間に配置される。２個の第２仕切り部材１４と、第１仕切り部材１２と、第３仕切り部材１３とにより、開口部１０ｂが形成される。このように、第１仕切り部材１２は、開口部１０ａを仕切り、第２仕切り部材１４は、開口部１０ｂを仕切る。第１仕切り部材１２は、開口部１０ａと開口部１０ｂとの間に配置される。
【００２８】
一方（図４Ａでは左側）の第２仕切り部材１４と、第１仕切り部材１２と、第３仕切り部材１３と、外枠１１とにより、開口部１０ｃが形成される。他方（図４Ａでは右側）の第２仕切り部材１４と、第１仕切り部材１２と、第３仕切り部材１３と、外枠１１とにより、開口部１０ｄが形成される。第３仕切り部材１３と、外枠１１とにより、開口部１０ｅ（第３開口部）が形成される。ゴルフクラブは、開口部１０ｃ，１０ｄ，１０ｅを介してバッグ本体２０内に挿入される。
【００２９】
第３仕切り部材１３は、外枠１１の上面（第２持ち手２１側の上面）から第３仕切り部材１３の上端までの高さが、前記高さ「Ｈ２」より高さ「Ｈ３」だけ低くなっている。すなわち、キャディバッグ１００を床面に自立させた場合に、床面から第１仕切り部材１２の上端までの長さ（高さ）は、床面から第３仕切り部材１３の上端までの長さより長くなっている。尚、床面から第１仕切り部材１２の上端までの高さが、床面から他の何れの仕切り部材の上端までの長さよりも長くなっている。
【００３０】
サブバッグ２００の第１持ち手２２０は、開口部１０ｂを介してバッグ本体２０内に挿入される。また、第１持ち手２２０の根元部分（サブバッグ２００の上端付近）は、第１仕切り部材１２の切り欠き部１２ａに受容される。
【００３１】
図５は、口枠１０と、口枠１０に挿入されたサブバッグ２００とを拡大した斜視図である。図５に示すように、サブバッグ２００は、サブバッグ本体２１０が開口部１０ａからキャディバッグ１００内に挿入され、第１持ち手２２０の根元部分が、切り欠き部１２ａに受容されるとともに、切り欠き部１２ａの下面１２ｂに当接して固定される。サブバッグ２００の上端は、切り欠き部１２ａの上端よりＺ方向の下方に位置している。
【００３２】
また、図５に示すように、第２仕切り部材１４は、第１仕切り部材１２の切り欠き部１２ａの下面１２ｂより高さ「Ｈ４」だけＺ方向の下方に設けられている。換言すると、切り欠き部１２ａの下端は、第２仕切り部材１４の上端より高い位置にある。このため、第１持ち手２２０と、第２仕切り部材１４の上面１４ａとの間には、高さ「Ｈ４」に相当する間隙Ｓ１（スペース）が形成される。これにより、例えば、プレイヤーは、手指を間隙Ｓ１に挿入して第１持ち手２２０を握り、上方（図５中の矢印方向）に引き上げることにより、サブバッグ２００をキャディバッグ１００から抜き取ることができる（図２参照）。
【００３３】
次に、図６〜図８を用いて、プレイヤーがサブバッグ２００をキャディバッグ１００に挿入する際の一連の動作について説明する。尚、図６Ａ、図７Ａ及び図８Ａは、側面図を示し、図６Ｂ、図７Ｂ及び図８Ｂは、正面図を示している。
【００３４】
先ず、図６Ａ及び図６Ｂに示すように、プレイヤーは、キャディバッグ１００に対してサブバッグ２００が斜め方向に向くように、一方の手で第１持ち手２２０を把持しながら、サブバッグ２００を持ち上げる。このとき、プレイヤーは、他方の手でサブバッグ本体２１０を支えてもよい。
【００３５】
次に、図７Ａ及び図７Ｂに示すように、プレイヤーは、サブバッグ２００を、開口部１０ａ（図４Ａ参照）からキャディバッグ１００内に挿入する。ここで、第１仕切り部材１２は、外枠１１の上面から第１仕切り部材１２の上端まで、充分な高さ（図４Ｃの「Ｈ２」）を有するため、開口部１０ａの幅及び面積（特には、図４Ｃに示す斜め方向の幅「Ｗ２」）を大きく確保することができる。このため、プレイヤーは、斜め方向から、サブバッグ２００を容易にキャディバッグ１００内に挿入することができる。
【００３６】
最後に、図８Ａ及び図８Ｂに示すように、プレイヤーは、サブバッグ２００の第１持ち手２２０が切り欠き部１２ａの下面１２ｂに接触するまで、サブバッグ２００をキャディバッグ１００内に挿入する。これにより、サブバッグ２００がキャディバッグ１００内に収容される。ここで、第２仕切り部材１４の上面１４ａと、切り欠き部１２ａの下面１２ｂとは、高さ「Ｈ４」だけ離れている。このため、プレイヤーが、サブバッグ２００を、第１持ち手２２０が切り欠き部１２ａの下面１２ｂに接触するまでキャディバッグ１００内に挿入した場合でも、第１持ち手２２０と第２仕切り部材１４の上面１４ａとの間に間隙Ｓ１（図５参照）が形成される。よって、プレイヤーの指が第１持ち手２２０と第２仕切り部材１４との間に挟まることがないため、安全性を確保することもできる。
【００３７】
プレイヤーは、サブバッグ２００をキャディバッグ１００から抜き取る場合は、上述した動作の逆順の動作を行う。尚、プレイヤーは、手指を間隙Ｓ１に挿入して第１持ち手２２０を握り、上方（図５中の矢印方向）に引き上げることにより、サブバッグ２００をキャディバッグ１００から容易に抜き取ることができる。
【００３８】
図９は、キャディバッグ１００に収容されたサブバッグ２００の様子を示す側面図であえる。図９では、サブバッグ２００を点線で示している。図９に示すように、サブバッグ２００は、キャディバッグ１００内において、第１持ち手２２０が切り欠き部１２ａ（図５参照）に引っ掛けられることにより、吊り下げられるようにして固定される。また、サブバッグ２００は、キャディバッグ１００内において、最下端（ロック装置２４０）がキャディバッグ１００内の収容底面２０ａよりもＺ方向の上方に位置している。具体的には、キャディバッグ１００において、収容底面２０ａから、切り欠き部１２ａの下面１２ｂ（図４Ｂ参照）までの長さを「Ｈ１０」（図６Ｂ参照）とし、サブバッグ２００において、ロック装置２４０の下端から、第１持ち手２２０における切り欠き部１２ａに当接する部分までの長さを「Ｈ２０」（図３Ａ参照）としたとき、収容底面２０ａとロック装置２４０の下端との間には、高さ（Ｈ１０−Ｈ２０）に相当する間隙Ｓ２（スペース）が形成される。
【００３９】
キャディバッグ１００内に前記間隙Ｓ２が形成されることにより、サブバッグ２００がキャディバッグ１００内に収容された状態のときに、ロック装置２４０が収容底面２０ａに接触して脚部２３０のロック状態が解除されることを防ぐことができる。
【００４０】
次に、プレイヤーがゴルフコースにおいて本実施形態に係るキャディバッグ１００を使用する際の具体例を示す。図１０は、キャディバッグ１００がゴルフカートに搭載された状態を示している。
【００４１】
図１０に示すように、一般的に、キャディバッグ１００は、プレイヤーがゴルフクラブを出し入れし易いように、口枠１０が後方斜め上方に向くようにゴルフカートに載せられる。また、ゴルフ場のスタッフ等がキャディバッグをゴルフカートに載せたり降ろしたりし易いように、キャディバッグ１００は、第２持ち手２１が上方を向くようにゴルフカートに載せられる。
【００４２】
図１０に示す状態において、サブバッグ２００は、キャディバッグ１００内の下側（地面側）（矢印ｄ１側）に収容され、ゴルフクラブは、キャディバッグ１００内のサブバッグ２００より上側（矢印ｄ２側）に収容される。すなわち、サブバッグ２００は、ゴルフクラブよりプレイヤーに近い位置に収容される。また、第１仕切り部材１２は、外枠１１からの高さが高い（図４Ｃの「Ｈ２」）ため、サブバッグ２００をキャディバッグ１００に斜め方向から挿入する際に、案内部材として機能する。
【００４３】
このため、プレイヤーは、サブバッグ２００をキャディバッグ１００から抜き取ったり挿入したりする際に、キャディバッグ１００内のゴルフクラブに邪魔されることがない。よって、プレイヤーは、サブバッグ２００の出し入れを容易に行うことができる。また、キャディバッグ１００に収容されたゴルフクラブとサブバッグ２００とが互いに接触することを防ぐことができるため、ゴルフクラブ及びサブバッグ２００の損傷を防ぐことができる。
【００４４】
また、サブバッグ２００は、キャディバッグ１００内において、サブバッグ２００の第１持ち手２２０が上方に向き、サブバッグ２００のサブバッグ本体２１０が下方に向いて収容される。すなわち、重量が重いサブバッグ本体２１０が下方に向き、サブバッグ本体２１０を吊り下げる第１持ち手２２０が上方に向いて収容される。このため、プレイヤーがサブバッグ２００をキャディバッグ１００から引き抜く場合において、第１持ち手２２０を握ってサブバッグ２００を引き上げるとき及び引き抜いたときに、プレイヤーの手にかかる負担を軽くすることができる。また、プレイヤーがサブバッグ２００をキャディバッグ１００に収容する場合において、第１持ち手２２０を握ってサブバッグ２００を持ち上げるときに、プレイヤーの手にかかる負担を軽くすることができる。このように、プレイヤーは、サブバッグ２００を、第１持ち手２２０で吊り下げるようにして持つことができるため、サブバッグ２００の出し入れを容易に行うことができる。
【００４５】
このように、本実施形態に係るキャディバッグ１００は、図１０に示す使用例に適した構成を有することが好ましい。具体的には、口枠１０において、サブバッグ２００のサブバッグ本体２１０を挿入する開口部１０ａが、第２持ち手２１とは反対側の端部に形成され、サブバッグ２００の第１持ち手２２０を挿入する開口部１０ｂが、開口部１０ａより第２持ち手２１側に形成されることが好ましい。換言すると、キャディバッグ１００を上方から見たときに、開口部１０ａが、第２持ち手２１が配置される端部とは反対側の端部に配置され、開口部１０ｂが、開口部１０ａより持ち第２持ち手２１側に配置されることが好ましい。
【００４６】
尚、本実施形態に係るキャディバッグ１００は、図１０に示す使用例に限定されない。このため、本発明に係るキャディバッグ１００は、口枠１０において、サブバッグ２００のサブバッグ本体２１０を挿入する開口部１０ａが、第２持ち手２１側の端部に形成され、サブバッグ２００の第１持ち手２２０を挿入する開口部１０ｂが、第２持ち手２１とは反対側の端部に形成されてもよい。
【００４７】
以上のように、本実施形態に係るキャディバッグ１００は、サブバッグ２００のサブバッグ本体２１０をキャディバッグ１００内に導くための開口部１０ａと、サブバッグ２００の第１持ち手２２０を受容するための切り欠き部１２ａと、第１持ち手２２０をキャディバッグ１００内に導くための開口部１０ｂと、を有する。これにより、サブバッグ２００は、キャディバッグ１００に収容され、位置が固定される。また、第１持ち手２２０を挿入させる領域（開口部１０ｂ）と、ゴルフクラブを挿入させる領域（開口部１０ｃ，１０ｄ，１０ｅ）とを、確実に区切ることができる。このため、サブバッグ２００が、キャディバッグ１００内で移動したり、ゴルフクラブと接触したりすることを防ぐことができる。特に、第１持ち手２２０にゴルフクラブが接触することを防ぐことができるため、第１持ち手２２０を握るためのスペース（間隙Ｓ１）を確保することができる。よって、プレイヤーは、サブバッグ２００をキャディバッグ１００から容易に抜き取ることができる。本実施形態に係るキャディバッグ１００によれば、キャディバッグ１００の口枠１０を、上述の構造とすることにより上記各効果を得ることができる。よって、本実施形態に係るキャディバッグ１００によれば、簡易な構成によりサブバッグ２００を収容することができるとともに、さらに上記各効果を得ることもできる。
【００４８】
［参考形態］
以下、参考形態に係るキャディバッグ５００について説明する。
【００４９】
図１１Ａは、キャディバッグ５００の概略構成を示す側面図であり、図１１Ｂは、キャディバッグ５００の概略構成を示す正面図である。
【００５０】
図１１Ａ及び図１１Ｂに示すように、キャディバッグ５００は、バッグ本体６０と、バッグ本体６０の上端に設けられる口枠５０とを備えている。バッグ本体６０は、キャディバッグ５００を持ち運ぶ際に手で握る持ち手６１と、バッグ本体６０を覆うバッグカバー６２と、サブバッグ２００を収容する収容カバー６３と、を備えている。
【００５１】
収容カバー６３は、キャディバッグ５００の側面に設けられ、伸縮可能な構成を有している。例えば図１１Ｂに示すように、収容カバー６３は、ファスナー６４を備えており、ファスナー６４の歯が噛み合っているときは、収容カバー６３は閉じられた状態（縮んだ状態）となり、ファスナー６４の歯が噛み合っていないときは、収容カバー６３は開いた状態（伸びた状態）となる。尚、伸縮可能な構成は、ファスナーに限定されず、弾性素材（ゴム等）で構成されてもよい。
【００５２】
図１２Ａは口枠５０の具体的な構成の一例を示す平面図である。図１２Ｂは、図１２ＡのＡ矢視図であり、図１２Ｃは、図１２ＡのＢ矢視図である。
【００５３】
口枠５０は、外枠５１と、外枠５１の内側に設けられる仕切り部材５２〜５６とを備えている。外枠５１は、キャディバッグ５００のバッグ本体６０における上端の開放領域を規定する。仕切り部材５２〜５６は、外枠５１の内側に形成される領域を複数の領域（開口部）に分割して、それぞれの領域を仕切る。
【００５４】
図１２Ａに示すように、仕切り部材５２は、外枠５１におけるＸ方向の下側においてＹ方向の左右端の間に配置される。仕切り部材５３は、外枠５１におけるＸ方向の中央側においてＹ方向の左右端の間に配置される。仕切り部材５４は、外枠５１におけるＸ方向の上側においてＹ方向の左右端の間に配置される。２個の仕切り部材５５は、外枠５１におけるＸ方向の下側において、外枠５１と仕切り部材５２との間に配置される。仕切り部材５６は、外枠５１におけるＸ方向の中央側及びＹ方向の中央側において、仕切り部材５２と仕切り部材５３と仕切り部材５４との間に配置される。外枠５１の周囲には、フレーム５７が設けられている。
【００５５】
外枠５１と各仕切り部材５２〜５６とにより、開口部５０ａ〜５０ｈが形成される。ゴルフクラブは、開口部５０ｂ〜５０ｈを介してバッグ本体６０内に挿入される。
【００５６】
また、図１２に示すように、外枠５１のＸ方向の下端（図１２Ａ参照）には、外枠５１の上面から上方（図１２ＢのＺ方向）に立ち上がる受容部５８が形成されている。図１２Ｂに示すように、受容部５８は、凸部５８ａ，５８ｂと、凸部５８ａ，５８ｂの間に形成される凹部５８ｃと、を含む。凹部５８ｃの形状は、図１２Ｂに示すように湾曲状でなくてもよく、例えば、矩形状、Ｕ字状、Ｖ字状であってもよい。
【００５７】
尚、図１３に示すように、キャディバッグ５００において、床面から凹部５８ｃの下端までの高さはＨ５０である。
【００５８】
サブバッグ２００は、サブバッグ本体２１０がキャディバッグ５００の収容カバー６３に収容され、第１持ち手２２０の根元部分が受容部５８の凹部５８ｃに受容され、第１持ち手２２０の胴部が開口部５０ａを介してキャディバッグ５００のバッグ本体６０内に挿入される。
【００５９】
例えば、プレイヤーはサブバッグ２００をキャディバッグ５００に収容する場合には、図１４Ａ及び図１４Ｂに示すように、キャディバッグ５００の収容カバー６３を開いた状態にして、サブバッグ２００を収容カバー６３の内部に挿入する。このとき、プレイヤーは、サブバッグ２００の第１持ち手２２０が、口枠５０の開口部の方を向くようにして、サブバッグ２００を収容カバー６３の内部に挿入する。
【００６０】
そして、プレイヤーは、図１４Ａ及び図１４Ｂに示すように、サブバッグ２００の第１持ち手２２０が口枠５０の凹部５８ｃ（図１２Ｂ参照）に接触するまで、サブバッグ２００を収容カバー６３の内部に挿入する。第１持ち手２２０が凹部５８ｃに当接した状態になると、サブバッグ２００は、第１持ち手２２０で吊り下げられるようにして固定される。このとき、サブバッグ２００は、最下端（ロック装置２４０）が床面よりもＺ方向の上方に位置している。具体的には、キャディバッグ５００において、床面から、凹部５８ｃの下端までの高さを「Ｈ５０」（図１３参照）としたとき、床面とロック装置２４０の下端との間には、高さ（Ｈ５０−Ｈ２０）に相当する間隙Ｓ３（スペース）が形成される。
【００６１】
前記間隙Ｓ３が形成されることにより、サブバッグ２００がキャディバッグ１００に収容された状態のときに、ロック装置２４０が床面に接触して脚部２３０のロック状態が解除されることを防ぐことができる。尚、受容部５８において、サブバッグ２００がキャディバッグ１００に収容された状態のときに前記間隙Ｓ３が形成されるように、外枠５１から凹部５８ｃまでの高さ、及び、凹部５８ｃの形状が設定される。
【００６２】
収容カバー６３は、キャディバッグ５００のＺ方向の中央付近に設けられる。また収容カバー６３の長さ（図１１Ｂの「Ｈ６０」）は、サブバッグ２００の全長の半分より長い。このように、サブバッグ２００の第１持ち手２２０を凹部５８ｃにより保持しつつ、サブバッグ２００のサブバッグ本体２１０を収容カバー６３で覆うことができるため、サブバッグ２００を安定して固定することができる。
【００６３】
また、サブバッグ２００は、キャディバッグ５００の持ち手６１が配置される端部とは反対側の端部に収容される。すなわち、開口部５０ａ及び受容部５８は、キャディバッグ５００の持ち手６１が配置される端部とは反対側の端部に設けられる。このため、プレイヤー及びスタッフは、キャディバッグ５００の持ち手６１を持ち易くなるため、キャディバッグ５００の持ち運びを容易に行うことができる。
【００６４】
上述の参考形態に係るキャディバッグ５００は以下の構成を備えてもよい。
【００６５】
（１）キャディバッグ５００は、一端が底部により閉塞され、他端が開放されたバッグ本体６０と、前記他端に設けられる口枠５０と、前記バッグ本体６０の側面に設けられる収容カバー６３と、を備える。口枠５０は、前記他端に設けられ、前記他端の開放された領域の周囲を囲む外枠５１と、前記他端に設けられ、前記他端の開放された領域を仕切る仕切り部材５２〜５６と、仕切り部材５２〜５６により分割された開口部５０ａ〜５０ｈと、外枠５１の上面から上方に立ち上がる受容部５８と、を備える。収容カバー６３は、キャディバッグ５００より小型のサブバッグ２００を収容する。前記開口部は、サブバッグ２００を持ち運ぶための第１持ち手２２０をバッグ本体６０内に挿入するための開口部５０ａを含む。受容部５８は、第１持ち手２２０を受容する凹部５８ｃを備える。
【００６６】
（２）キャディバッグ５００は、前記（１）に記載のキャディバッグ５００において、さらに、サブバッグ２００がキャディバッグ５００に収容された場合に、床面と、サブバッグ２００の下端との間に間隙Ｓ３が形成される。
【００６７】
（３）キャディバッグ５００は、前記（１）に記載のキャディバッグ５００において、サブバッグ２００がキャディバッグ５００に収容された場合に、床面から凹部５８ｃまでの長さ「Ｈ５０」が、床面から、サブバッグ２００の第１持ち手２２０における凹部５８ｃに当接する部分までの長さ「Ｈ２０」より長い。
【００６８】
（４）キャディバッグ５００は、前記（１）に記載のキャディバッグ５００において、さらに、キャディバッグ５００を持ち運ぶための持ち手６１を備える。キャディバッグ５００を上方から見たときに、開口部５０ａ及び受容部５８は、持ち手６１が配置される端部とは反対側の端部に配置される。
【符号の説明】
【００６９】
１              ゴルフクラブ収容システム
１０            口枠
１０ａ〜１０ｅ  開口部
１１            外枠
１２            第１仕切り部材
１３            第３仕切り部材
１４            第２仕切り部材
１２ａ          切り欠き部
２０            バッグ本体
２１            第２持ち手
１００          キャディバッグ
２００          サブバッグ
２１０          サブバッグ本体
２２０          第１持ち手
２３０          脚部
２４０          ロック装置
２５０          支持部
【図１】
2019136350.tif 000003
【図２】
2019136350.tif 000004
【図３Ａ】
2019136350.tif 000005
【図３Ｂ】
2019136350.tif 000006
【図４Ａ】
2019136350.tif 000007
【図４Ｂ】
2019136350.tif 000008
【図４Ｃ】
2019136350.tif 000009
【図５】
2019136350.tif 000010
【図６Ａ】
2019136350.tif 000011
【図６Ｂ】
2019136350.tif 000012
【図７Ａ】
2019136350.tif 000013
【図７Ｂ】
2019136350.tif 000014
【図８Ａ】
2019136350.tif 000015
【図８Ｂ】
2019136350.tif 000016
【図９】
2019136350.tif 000017
【図１０】
2019136350.tif 000018
【図１１Ａ】
2019136350.tif 000019
【図１１Ｂ】
2019136350.tif 000020
【図１２Ａ】
2019136350.tif 000021
【図１２Ｂ】
2019136350.tif 000022
【図１２Ｃ】
2019136350.tif 000023
【図１３】
2019136350.tif 000024
【図１４Ａ】
2019136350.tif 000025
【図１４Ｂ】
2019136350.tif 000026
【図１５Ａ】
2019136350.tif 000027
【図１５Ｂ】
2019136350.tif 000028